(57)【要約】エレベーター割り当てのユーザに通知するシステム及び方法を提供する。この方法は、入力デバイスから、エレベーター呼びをエレベーターコントローラにおいてユーザから受信すること、エレベーターコントローラを使用して、エレベーター呼びに基づきエレベーターかごを呼び出すこと、エレベーターコントローラを使用して、呼び通知を生成すること、呼び通知を複数のディスプレイにおいて受信すること、及び呼び通知を複数のディスプレイ上に表示パラメータに基づき表示することを備える。
2019516638.tif 000002
【特許請求の範囲】
【請求項１】
エレベーター割り当てのユーザに通知する方法であって、
入力デバイスから、エレベーター呼びをエレベーターコントローラにおいてユーザから受信することと、
前記エレベーターコントローラを使用して、前記エレベーター呼びに基づきエレベーターかごを呼び出すことと、
前記エレベーターコントローラを使用して、呼び通知を生成することと、
前記呼び通知を複数のディスプレイにおいて受信することと、
表示パラメータに基づき前記呼び通知を前記複数のディスプレイ上に表示することと、
を備える、前記方法。
【請求項２】
前記入力デバイスは、据え置き型デバイス及びモバイルデバイスからなる群から選択される１つであり、前記モバイルデバイスは、携帯電話、ウェアラブルエレクトロニック、ラップトップ、ノートブック、ネットブック、及びタブレットからなる群から選択される１つである、請求項１に記載の方法。
【請求項３】
前記呼び通知は、テキスト、画像、ビデオ、振動、及びオーディオ出力からなる群から選択される１つ以上である、請求項１に記載の方法。
【請求項４】
前記複数のディスプレイは、モバイルデバイスの少なくともディスプレイ、及び前記ユーザがいる階についての据え置き型ディスプレイを含む、請求項１に記載の方法。
【請求項５】
前記据え置き型ディスプレイは、キオスクディスプレイ、エレベーターかご乗場ドアに隣接して設置されるディスプレイ、前記ユーザと同一の階についてのディスプレイ、前記ユーザの視距離内のディスプレイ、ユーザの無線通信範囲内のディスプレイ、前記エレベーターかご内のディスプレイ、ならびに無線通信及び測位を使用して検出可能である所定の範囲内のディスプレイからなる群から選択される１つである、請求項４に記載の方法。
【請求項６】
前記入力デバイスは、前記複数のディスプレイ内に含まれるディスプレイをそれぞれ含む複数のモバイルデバイスにリンクされるモバイルデバイスである、請求項１に記載の方法。
【請求項７】
前記表示パラメータは、ユーザ階、ディスプレイ階、ディスプレイについての視距離マッピング、ディスプレイにおける信号強度閾値、近接情報、階数情報、日付、時刻、及びスケジューリング情報からなる群からの１つ以上である、請求項１に記載の方法。
【請求項８】
前記呼び通知を生成する前記エレベーターコントローラに応答するモバイルデバイスである、前記入力デバイスへ前記呼び通知を前記エレベーターコントローラから送信することと、
前記呼び通知を前記モバイルデバイスから、前記複数のディスプレイから選択されたディスプレイへ送信することと、
をさらに備える、請求項１に記載の方法。
【請求項９】
前記呼び通知を前記エレベーターコントローラから、前記呼び通知を生成する前記エレベーターコントローラに応答する前記複数のディスプレイから選択されたディスプレイへ送信することをさらに備える、請求項１に記載の方法。
【請求項１０】
エレベーター割り当てを通知するためのシステムであって、
エレベーター呼びを入力デバイスから受信し、エレベーターかごを呼び出し、呼び通知を生成するように構成されるエレベーターコントローラ、及び
前記エレベーターコントローラから受信する前記エレベーター呼びに基づき建築物の階間で移動するように構成される前記エレベーターかご、
を含む、エレベーターと、
前記呼び通知を受信し、表示パラメータに基づき前記呼び通知を表示するように構成される第一ディスプレイと、
前記呼び通知を受信し、前記表示パラメータに基づき前記呼び通知を表示するように構成される第二ディスプレイと、
を備える、前記システム。
【請求項１１】
前記第一ディスプレイは、モバイルデバイスディスプレイ、キオスクディスプレイ、エレベーターかご乗場ドアに隣接して設置されるディスプレイ、前記ユーザと同一の階についてのディスプレイ、前記ユーザの視距離内のディスプレイ、ユーザの無線通信範囲内のディスプレイ、前記エレベーターかご内のディスプレイ、ならびに無線通信及び測位を使用して検出可能である所定の範囲内のディスプレイからなる群から選択される１つである、請求項１０に記載のシステム。
【請求項１２】
前記第二ディスプレイは、モバイルデバイスディスプレイ、キオスクディスプレイ、エレベーターかご乗場ドアに隣接して設置されるディスプレイ、前記ユーザと同一の階についてのディスプレイ、前記ユーザの視距離内のディスプレイ、ユーザの無線通信範囲内のディスプレイ、前記エレベーターかご内のディスプレイ、ならびに無線通信及び測位を使用して検出可能である所定の範囲内のディスプレイからなる群から選択される１つである、請求項１０に記載のシステム。
【請求項１３】
前記呼び通知を受信し、前記表示パラメータに基づき前記呼び通知を表示するように構成される複数のディスプレイ、
をさらに備え、
前記複数のディスプレイのうちの１つ以上はモバイルデバイスディスプレイ、キオスクディスプレイ、エレベーターかご乗場ドアに隣接して設置されるディスプレイ、前記ユーザと同一の階についてのディスプレイ、前記ユーザの視距離内のディスプレイ、ユーザの無線通信範囲内のディスプレイ、前記エレベーターかご内のディスプレイ、ならびに無線通信及び測位を使用して検出可能である所定の範囲内のディスプレイからなる群から選択される、請求項１０に記載のシステム。
【請求項１４】
前記入力デバイスは、前記複数のディスプレイ内に含まれるディスプレイをそれぞれ含む複数のモバイルデバイスにリンクされるモバイルデバイスである、請求項１３に記載のシステム。
【請求項１５】
前記入力デバイスは、携帯電話、ウェアラブルエレクトロニック、ラップトップ、ノートブック、ネットブック、及びタブレットからなる群から選択される１つである、請求項１０に記載のシステム。
【請求項１６】
前記呼び通知は、画像、ビデオ、振動、及びオーディオ出力からなる群から選択される１つ以上である、請求項１０に記載のシステム。
【請求項１７】
前記表示パラメータは、ユーザ階、ディスプレイ階、ディスプレイについての視距離マッピング、ディスプレイにおける信号強度閾値、近接情報、階数情報、日付、時刻、スケジューリングからなる群からの１つ以上である、請求項１０に記載のシステム。
【請求項１８】
エレベーター割り当てを通知するためのコンピュータプログラム製品であって、
それとともに具現化されるプログラムインストラクションを含むコンピュータ可読記憶媒体を備え、
前記プログラムインストラクションはプロセッサに、
入力デバイスから、エレベーター呼びをエレベーターコントローラにおいてユーザから受信させ、
前記エレベーターコントローラを使用して、エレベーターかごを前記エレベーター呼びに基づき呼び出させ、
前記エレベーターコントローラを使用して、呼び通知を生成させ、
前記呼び通知を複数のディスプレイにおいて受信させ、
前記呼び通知を表示パラメータに基づき前記複数のディスプレイ上に表示させる、
ように前記プロセッサにより実行可能である、前記コンピュータプログラム製品。
【請求項１９】
前記コンピュータプログラム製品は、前記プロセッサに、
前記呼び通知を生成する前記エレベーターコントローラに応答するモバイルデバイスである前記入力デバイスへ、前記呼び通知を前記エレベーターコントローラから送信させ、
前記複数のディスプレイから選択されたディスプレイへ、前記呼び通知を前記モバイルデバイスから送信させる、
ように前記プロセッサにより実行可能である追加のプログラムインストラクションを含む、請求項１８に記載の前記コンピュータプログラム製品。
【請求項２０】
前記コンピュータプログラム製品は、前記プロセッサに、
前記呼び通知を生成する前記エレベーターコントローラに応答する前記複数のディスプレイから選択されたディスプレイへ、前記呼び通知を前記エレベーターコントローラから送信させる、
ように前記プロセッサにより実行可能である、追加のプログラムインストラクションを含む、請求項１８に記載のコンピュータプログラム製品。
【発明の詳細な説明】
【技術分野】
【０００１】
本明細書に開示される発明の主題は、一般に、エレベーター割り当てを表示することに関し、より詳細には、エレベーター割り当てを表示するための特定のディスプレイ使用設定に関する。
【背景技術】
【０００２】
多数の異なるインジケータをユーザへ提供し、ユーザのエレベーター呼びを受信したことをユーザに示す。たとえば、１つのこのようなインジケータは、ユーザがエレベーターを呼び出すボタンを押した後に明るくなるボタンである。視覚的なインジケータの別の実施例は、ユーザが提供したエレベーター呼びをユーザへ表示するユーザ入力ポイントに提供されるディスプレイである。さらに、別のインジケータは、エレベーターかごが階へ到着時に行う、ベルの形態で複数回ある、サウンドインジケータである。
【０００３】
しかしながら、ユーザがエレベーター呼び及び進行を通知され、認識したままであるのを支援する追加のインジケータが望まれる。
【発明の概要】
【課題を解決するための手段】
【０００４】
１つの実施形態よれば、エレベーター割り当てのユーザに通知する方法を提供する。この方法は、入力デバイスから、エレベーター呼びをエレベーターコントローラにおいてユーザから受信し、エレベーターコントローラを使用して、エレベーター呼びに基づきエレベーターかごを呼び出し、エレベーターコントローラを使用して、呼び通知を生成し、呼び通知を複数のディスプレイにおいて受信し、呼び通知を複数のディスプレイ上に表示パラメータに基づき表示することを備える。
【０００５】
上述される１つ以上の特徴に加えて、または代替として、さらなる実施形態は、入力デバイスが据え置き型デバイス及びモバイルデバイスからなる群から選択される１つであること、ならびにモバイルデバイスが携帯電話、ウェアラブルエレクトロニック、ラップトップ、ノートブック、ネットブック、及びタブレットからなる群から選択される１つであることを備えることができる。
【０００６】
上述される１つ以上の特徴に加えて、または代替として、さらなる実施形態は、呼び通知がテキスト、画像、ビデオ、振動、及びオーディオ出力からなる群から選択される１つ以上であることを備えることができる。
【０００７】
上述される１つ以上の特徴に加えて、または代替として、さらなる実施形態は、複数のディスプレイがモバイルデバイスのディスプレイ、及びユーザのいる階についての据え置き型ディスプレイを含むことを備えることができる。
【０００８】
上述される１つ以上の特徴に加えて、または代替として、さらなる実施形態は、据え置き型ディスプレイがキオスクディスプレイ、エレベーターかご乗場ドアに隣接して設置されるディスプレイ、ユーザと同一の階についてのディスプレイ、ユーザの視距離内のディスプレイ、ユーザの無線通信範囲内のディスプレイ、エレベーターかご内のディスプレイ、ならびに無線通信及び測位を使用して検出可能である所定の範囲内のディスプレイからなる群から選択される１つであることを備えることができる。
【０００９】
上述される１つ以上の特徴に加えて、または代替として、さらなる実施形態は、入力デバイスが複数のディスプレイ内に含まれるディスプレイをそれぞれ含む複数のモバイルデバイスにリンクされるモバイルデバイスであることを備えることができる。
【００１０】
上述される１つ以上の特徴に加えて、または代替として、さらなる実施形態は、表示パラメータがユーザ階、ディスプレイ階、ディスプレイについての視距離マッピング、ディスプレイにおける信号強度閾値、近接情報、階数情報、日付、時刻、及びスケジューリング情報からなる群からの１つ以上であることを備えることができる。
【００１１】
上述される１つ以上の特徴に加えて、または代替として、さらなる実施形態は、呼び通知を生成するエレベーターコントローラに応答するモバイルデバイスである入力デバイスへ呼び通知をエレベーターコントローラから送信し、そして複数のディスプレイから選択されたディスプレイへ呼び通知をモバイルデバイスから送信することを備えることができる。
【００１２】
上述される１つ以上の特徴に加えて、または代替として、さらなる実施形態は、呼び通知を生成するエレベーターコントローラに応答して複数のディスプレイから選択されたディスプレイへ呼び通知をエレベーターコントローラから送信することを備えることができる。
【００１３】
実施形態によれば、エレベーター割り当てを通知するためのシステムを提供する。このシステムは、入力デバイスからエレベーター呼びを受信し、エレベーターかごを呼び出し、そして呼び通知を生成するように構成されるエレベーターコントローラ、及びエレベーターコントローラから受信するエレベーター呼びに基づき建築物の階間で移動するように構成されるエレベーターかごを含むエレベーターと、呼び通知を受信し、表示パラメータに基づき呼び通知を表示するように構成される第一ディスプレイと、呼び通知を受信し、表示パラメータに基づき呼び通知を表示するように構成される第二ディスプレイとを備える。
【００１４】
上述される１つ以上の特徴に加えて、または代替として、さらなる実施形態は、第一ディスプレイがモバイルデバイスディスプレイ、キオスクディスプレイ、エレベーターかご乗場ドアに隣接して設置されるディスプレイ、ユーザと同一の階についてのディスプレイ、ユーザの視距離内のディスプレイ、ユーザの無線通信範囲内のディスプレイ、エレベーターかご内のディスプレイ、ならびに無線通信及び測位を使用して検出可能である所定の範囲内のディスプレイからなる群から選択される１つであることを備えることができる。
【００１５】
上述される１つ以上の特徴に加えて、または代替として、さらなる実施形態は、第二ディスプレイがモバイルデバイスディスプレイ、キオスクディスプレイ、エレベーターかご乗場ドアに隣接して設置されるディスプレイ、ユーザと同一の階についてのディスプレイ、ユーザの視距離内のディスプレイ、ユーザの無線通信範囲内のディスプレイ、エレベーターかご内のディスプレイ、ならびに無線通信及び測位を使用して検出可能である所定の範囲内のディスプレイからなる群から選択される１つであることを備えることができる。
【００１６】
上述される１つ以上の特徴に加えて、または代替として、さらなる実施形態は、呼び通知を受信し、呼び通知を表示パラメータに基づき表示するように構成される複数のディスプレイを含むことができ、そこで複数のディスプレイのうちの１つ以上は、モバイルデバイスディスプレイ、キオスクディスプレイ、エレベーターかご乗場ドアに隣接して設置されるディスプレイ、ユーザと同一の階についてのディスプレイ、ユーザの視距離内のディスプレイ、ユーザの無線通信範囲内のディスプレイ、エレベーターかご内のディスプレイ、ならびに無線通信及び測位を使用して検出可能である所定の範囲内のディスプレイからなる群から選択される。
【００１７】
上述される１つ以上の特徴に加えて、または代替として、さらなる実施形態は、入力デバイスが複数のディスプレイ内に含まれるディスプレイをそれぞれ含む複数のモバイルデバイスにリンクされるモバイルデバイスであることを備えることができる。
【００１８】
上述される１つ以上の特徴に加えて、または代替として、さらなる実施形態は、入力デバイスが携帯電話、ウェアラブルエレクトロニック、ラップトップ、ノートブック、ネットブック、及びタブレットからなる群から選択される１つであることを備えることができる。
【００１９】
上述される１つ以上の特徴に加えて、または代替として、さらなる実施形態は、呼び通知が画像、ビデオ、振動、及びオーディオ出力からなる群から選択される１つ以上であることを備えることができる。
【００２０】
上述される１つ以上の特徴に加えて、または代替として、さらなる実施形態は、表示パラメータがユーザ階、ディスプレイ階、ディスプレイについての視距離マッピング、ディスプレイにおける信号強度閾値、近接情報、階数情報、日付、時刻、スケジューリングからなる群からの１つ以上であることを備えることができる。
【００２１】
実施形態によれば、エレベーター割り当てを通知するためのコンピュータプログラム製品を提供する。コンピュータプログラム製品は、それとともに具現化されるプログラムインストラクションを含むコンピュータ可読記憶媒体を含み、プログラムインストラクションは、プロセッサに、入力デバイスから、エレベーター呼びをエレベーターコントローラにおいてユーザから受信させ、エレベーターコントローラを使用して、エレベーターかごをエレベーター呼びに基づき呼び出させ、エレベーターコントローラを使用して、呼び通知を生成させ、呼び通知を複数のディスプレイにおいて受信させ、呼び通知を複数のディスプレイ上に表示パラメータに基づき表示させるようにプロセッサにより実行可能である。
【００２２】
上述される１つ以上の特徴に加えて、または代替として、さらなる実施形態は、プロセッサに、呼び通知を生成するエレベーターコントローラに応答するモバイルデバイスである入力デバイスへ呼び通知をエレベーターコントローラから送信させるように、そして複数のディスプレイから選択されたディスプレイへ呼び通知をモバイルデバイスから送信させるようにプロセッサにより実行可能である追加のプログラムインストラクションを含むことができる。
【００２３】
上述される１つ以上の特徴に加えて、または代替として、さらなる実施形態は、プロセッサに、呼び通知を生成するエレベーターコントローラに応答する複数のディスプレイから選択されたディスプレイへ呼び通知をエレベーターコントローラから送信させるように、プロセッサにより実行可能である追加のプログラムインストラクションを含むことができる。
【００２４】
前述の機能及び要素は、別段に明示的に示されない限り、排他的ではないさまざまな組み合わせに組み合わされることができる。これらの機能及び要素、またその動作は、以下の説明、及び添付の図面を鑑みてさらに明らかになるであろう。しかしながら、以下の説明及び図面が本質的に例示的かつ説明的であり、非限定的であることを意図することを理解するであろう。
【００２５】
前述の、かつ他の特徴、及び本開示の利点は、添付の図面と併せて以下の発明を実施するための形態から明らかである。
【図面の簡単な説明】
【００２６】
【図１】本開示の１つ以上の実施形態によるエレベーターシステムを描写する。
【図２】本開示の１つ以上の実施形態による、１つ以上のエレベーター割り当てを通知するためのシステムを描写する。
【図３】本開示の１つ以上の実施形態による、エレベーター割り当てのユーザに通知するためのユーザ及びシステムを描写する。
【図４】本開示の１つ以上の実施形態による、エレベーター割り当てのユーザに通知する方法の流れ図を描写する。
【発明を実施するための形態】
【００２７】
本明細書に示され、記述されるように、本開示のさまざまな特徴を提示する。さまざまな実施形態は、同一の、または同様の特徴を有することができるので、同一の、または同様の特徴は、同一の参照番号によってラベル付けされることができるが、特徴を示す図面を指す異なる最初の数字が先行することができる。したがって、たとえば、図Ｘに示される要素「ａ」は、「Ｘａ」とラベル付けされることができ、図Ｚにおける同様の特徴は、「Ｚａ」とラベル付けされることができる。同様の参照番号が一般的な意味に使用されることができるが、当業者が理解するように、明示的に記述されるかどうかにかかわらず、さまざまな実施形態が記述され、さまざまな特徴は、変形形態、代替物、変更形態などを含むことができる。
【００２８】
本明細書に記述される実施形態は、ユーザの利益のために少なくとも２つ以上のディスプレイ上にエレベーター通知を表示するための方法及びシステムを対象とする。たとえば、１つ以上の実施形態によれば、サービスを要求したユーザのモバイルデバイスへ割り当てを送信し、建築物内に設置される据え置き型ディスプレイ、またはユーザについての別のモバイルディスプレイであることができる、別のディスプレイ上に割り当てを表示することが可能であるシステムを提供する。その結果、システムは、携帯電話、デジタルスマートウォッチ、または他のモバイルデバイスなどの、モバイルデバイス上にエレベーター割り当てを提供することが可能である。さらにシステムは、建築物または他の箇所内の据え置き型ディスプレイ上にもユーザの割り当てを示すことにより、ユーザにユーザの割り当てを提供するので、ユーザは、彼らのモバイルデバイスを彼らの唯一の選択肢としてみなくてもよい。
【００２９】
１つ以上の実施形態によれば、割り当ての据え置き型ディスプレイへの公開は、設定可能である。別の実施形態によれば、ユーザと同一の階についてのすべてのディスプレイは、この割り当てを表示する。さらに、別の実施形態によれば、ユーザ近くのディスプレイのみが割り当てを示す。さらに、別の実施形態によれば、ディスプレイは、ユーザが接近するときに割り当てを示すことも可能である。
【００３０】
ここで図を参照して、図１は、１つ以上の実施形態によるエレベーターシステム１００を描写する。建築物１０２に設置されるエレベーターシステム１００を示す。いくつかの実施形態において、建築物１０２は、物理的に相互に近くに位置してもよいし、しなくてもよい、オフィスビルまたはオフィスビル集合体であることができる。建築物１０２は、複数の階を含むことができる。建築物１０２に入る人々は、ロビー階、または別の階に入ることができ、そしてエレベーター１０４などの１つ以上の搬送デバイスを介して、行き先階へ行くことができる。
【００３１】
エレベーター１０４は、コントローラ１０６などの、１つ以上のコンピューティングデバイスに結合されることができる。コントローラ１０６は、エレベーター１０４と関連する１つ以上のエレベーターかご（たとえば、かご１０４−１、１０４−２）についてのディスパッチ操作を制御するように構成されることができる。エレベーターかご１０４−１及び１０４−２は、同一の昇降路内に、または異なる昇降路内に設置されることができ、異なるエレベーターバンクにおけるエレベーターかご間の調整が異なる階に対応することを可能にする。エレベーターシステム１００の他の構成要素（たとえば、ドライブ、釣り合いおもり、セーフティなど）は説明を容易にするために描写しないことが理解される。
【００３２】
またモバイルデバイス１０８が図１に示される。モバイルデバイス１０８は、人が一般的に携帯する、電話、エレクトロニックウェアラブル、ＲＦＩＤタグ、タブレット、ＰＤＡなどのような、デバイスを含むことができる。モバイルデバイス１０８は、図１に示されるような、プロセッサ１０８−２、メモリ１０８−１、及び通信モジュール１０８−３を含むことができる。プロセッサ１０８−２は、マイクロプロセッサ、マイクロコントローラ、デジタル信号プロセッサ、特定用途向け集積回路、プログラマブルロジックデバイス、及び／またはプログラマブルゲートアレイなどの、いずれかのタイプの、または組み合わせのコンピュータプロセッサであることが可能である。メモリ１０８−１は、たとえば、ファームウェアとして、そこに格納される実行可能なインストラクションを含むモバイルデバイス１０８において有形に具現化される非一時的なコンピュータ可読記憶媒体の実施例である。通信モジュール１０８−３は、さらに詳細に本明細書に記述されるような、１つ以上の通信プロトコルを実装することができる。
【００３３】
コントローラ１０６は、図１に示されるような、プロセッサ１０６−２、メモリ１０６−１、及び通信モジュール１０６−３を含むことができる。プロセッサ１０６−２は、マイクロプロセッサ、マイクロコントローラ、デジタル信号プロセッサ、特定用途向け集積回路、プログラマブルロジックデバイス、及び／またはフィールドプログラマブルゲートアレイなどの、いずれかのタイプの、または組み合わせのコンピュータプロセッサであることが可能である。メモリ１０６−１は、たとえば、ファームウェアとして、それに格納される実行可能なインストラクションを含む、コントローラ１０６に有形に具現化される非一時的なコンピュータ可読記憶媒体の実施例である。通信モジュール１０６−３は、さらに詳細に本明細書に記述されるような、１つ以上の通信プロトコルを実装することができる。
【００３４】
モバイルデバイス１０８及びコントローラ１０６は、相互に通信する。１つ以上の実施形態によれば、モバイルデバイス１０８とコントローラ１０６との間の通信は、選択される通信タイプにより、送信器、コンバータ、受信器、ならびに他の送信及び処理要素などの、他のシステムを介して行われる。たとえば、モバイルデバイス１０８及びコントローラ１０６は、相互に近接する（たとえば、閾値距離内に）ときに相互に通信することができる。モバイルデバイス１０８及びコントローラ１０６は、８０２．１１ｘ（ＷｉＦｉ）、短距離無線（Ｂｌｕｅｔｏｏｔｈ）、またはいずれかの他の既知のタイプの無線通信などの、無線ネットワーク経由で通信することができる。いくつかの実施形態において、コントローラ１０６は、キオスク、ビーコン、ホール呼び固定物、ランタン、ブリッジ、ルータ、ネットワークノードなどのような、ネットワーク化要素を含む、またはこれと関連する（たとえば、通信可能に結合される）ことができる。ネットワーク化要素は、１つ以上の通信プロトコルまたは規格を使用してモバイルデバイス１０８と通信することができる。たとえば、ネットワーク化要素は、近接場通信（ＮＦＣ）、またはいずれかのタイプの既知の有線または無線通信手段を使用して、モバイルデバイス１０８と通信することができる。１つ以上の他の実施形態によれば、ネットワーク化要素は、セルラネットワークを介して、または建築物外側の複数の他のデバイスを介してインターネット経由で、モバイルデバイス１０８と通信することができる。
【００３５】
他の実施形態において、コントローラ１０６は、建築物１０２の外側にあるモバイルデバイス１０８と通信を確立することができる。この接続は、非限定的な実施例として、ＧＰＳ、三角測量、または信号強度検出を有する、さまざまな科学技術によって確立されることができる。確立されることが可能である通信接続は、限定されないが、セルラ接続、ＷｉＦｉ接続、Ｂｌｕｅｔｏｏｔｈ接続、ピアツーピア接続、衛星接続、ＮＦＣ接続、いくつかの他の無線接続、及びイーサネットケーブル、同軸ケーブル、または他のデータケーブルを使用する有線接続を有する。これらの通信接続は、プライベートの安全な直接通信リンクから、複数の異なるサーバ、スイッチなどを介してインターネット経由でデータを転送することまで及ぶ、複数の異なるネットワークを使用してモバイルデバイス１０８間でデータを転送することができる。早期通信を可能にする、これらのような科学技術は、最も効率的な乗員の流れを確立するためにより多くの時間をユーザ及びシステムに与え、ユーザがシステムとインタラクトするために移動を停止する必要性を排除することができる。
【００３６】
図２−４を参照して、モバイルデバイス、コントローラ、及びエレベーターを使用する、エレベーター割り当てをユーザへ通知する方法及びシステムの実施態様を記述する。
【００３７】
図２を参照して、１つ以上の実施形態によれば１つ以上のエレベーター割り当てを通知するためのシステム２００を示す。システム２００は、少なくとも１つのエレベーター２０４、ディスプレイ２０８−１を含む第一モバイルデバイス２０８、及び第一据え置き型ディスプレイ２１１を備える。１つ以上の実施形態によれば、システム２００は、複数のモバイルデバイス及び／または据え置き型ディスプレイを含むことができる。たとえば、示されるように、システム２００は、ディスプレイ２０９−１を含む少なくとも第二モバイルデバイス２０９、及び第二据え置き型ディスプレイ２１２を備える。エレベーター２０４は、１つ以上のかご２０４−１、２０４−２、及びコントローラ２１０を含む。エレベーターコントローラ２１０は、エレベーターシステム１００内に示されるが、図１に示されるような他の箇所に設置されることができる。
【００３８】
１つ以上の実施形態によれば、エレベーター割り当てを通知する方法は、入力デバイスからエレベーター呼びを受信することを備える。具体的に、１つの実施形態によれば、エレベーター割り当てを通知する方法は、エレベーターコントローラ２１０におけるモバイルデバイス２０８である入力デバイスからエレベーター呼びを受信することを備える。別の実施形態によれば、エレベーター割り当てを通知する方法は、エレベーターコントローラ２１０において、キオスク、またはいくつかの他の非モバイル入力デバイスである入力デバイスからエレベーター呼びを受信することを備える。エレベーターコントローラ２１０は、かご２０４−１または２０４−２のうちの１つを決定し、呼び出すことにより呼びを処理する。またエレベーターコントローラ２１０は、ディスプレイ上に示されるように構成される呼び通知を生成して、送信する。１つの実施形態によれば、呼び通知は、エレベーター呼びをしたモバイルデバイス２０８において、また据え置き型ディスプレイ２１１において受信される。つぎに、さらに以下に考察される、受信した呼び通知は、モバイルデバイス２０８及び据え置き型ディスプレイ２１１の両方の上に表示される。別の実施形態によれば、呼び通知は、モバイルデバイス２０８及びモバイルデバイス２０９において受信され、つぎにディスプレイ２０８−１及び２０９−１上に表示されることができる。さらに別の実施形態によれば、呼び通知は、据え置き型ディスプレイ２１１及び据え置き型ディスプレイ２１２においてのみ受信され、そこに表示されることができる。さらに１つ以上の実施形態によれば、少なくとも２つの、しかしおそらくさらなるディスプレイのいずれかの組み合わせは、呼び通知を受信し、表示する。その結果、ユーザは、彼らのエレベーター呼びの状態をみる複数の位置を提供される。
【００３９】
１つ以上の実施形態によれば、呼び通知は、画像、ビデオ、オーディオ出力、テキスト、振動、またはいずれかのその組み合わせを含むことができる。１つ以上の実施形態によれば、呼び通知は、エレベータートラフィック情報をユーザへ表示することができる。別の実施形態において、呼び通知は、呼び要求を行うユーザのために緊急避難情報を含み、表示する。さらに１つ以上の実施形態によれば、据え置き型ディスプレイ２１１は、キオスクディスプレイ、エレベーターかご乗場ドアに隣接して設置されるディスプレイ、ユーザと同一の階についてのディスプレイ、ユーザの視距離内のディスプレイ、ユーザの無線通信範囲内のディスプレイ、エレベーターかご内のディスプレイ、または無線通信及び測位を使用して検出可能である所定の範囲内のディスプレイであることができる。
【００４０】
別の実施形態によれば、モバイルデバイス２０８及びモバイルデバイス２０９は、複数のディスプレイ内に含まれるディスプレイをそれぞれ含む複数のモバイルデバイスに加えて、共にリンクされることができる。モバイルデバイスのこのグループは、このグループ内のいずれかのモバイルデバイスによって行われる呼びに基づき生成される、呼び通知を受信することができる。
【００４１】
たとえば、１つ以上の実施形態は、さらに効率的に、迅速に、及び／または容易に、共に移動することができるユーザグループを提供することが可能である。特に、１つの実施形態によれば、この実施形態は、モバイルデバイスを共にリンクすることにより提供されるグループ化機能を提供する。このグループ化を使用して、共に移動する必要がある乗員数をより正確に評価することによって、エレベーター利用及び割り当てをより良く予測することが可能である。特に、グループから１つの指定されたデバイスがエレベーター呼びを行うときに、グループ化されたモバイルデバイスは、単一の呼び通知を提供されることが可能である。さらに、これらの呼びが単一グループ内の異なる複数のデバイスからくるときに、エレベーターシステムは、さらに正確に複数の呼びについて調整することが可能である。また、グループメンバーからのエレベーター呼びの現在の状態の、モバイルデバイスグループへの通知を提供することが可能である。これは、モバイルデバイスのディスプレイ上に通知を表示する各モバイルデバイスへ通知を提供することにより行われることが可能である。あるいは、建築物がグループ化機能だけではなく、追跡機能をも提供する場合の実施形態において、これらの通知は、グループのこれまでのメンバーがエレベーター呼びの現在の状態の彼らへの通知があるかどうかを、建築物全体にわたり設置される画面上に表示されることが可能である。
【００４２】
たとえば、教員と移動する生徒のグループは、建築物に入り、建築物を通り移動するためにエレベーターを使用する必要がある可能性がある。１つの実施形態によれば、グループリーダーとして指定されることができる教員は、グループメンバーのうちのいずれかの視覚的に近接にあるように決定される領域内の１つ以上のディスプレイ画面と同様に、生徒の各モバイルデバイスへ送信されるエレベーター要求を行うことが可能である。これは、１回のエレベーター呼びのみを使用して、グループの人々を運ぶのに十分なエレベーターを呼ぶための迅速で効率的な方法を提供し、またエレベーター呼びのすべてのグループメンバーに通知する。
【００４３】
別の実施例によれば、家族は、建築物を通り移動していることができる。この実施形態において、親は、上記の実施例の生徒及び教員と同様に、家族グループを代表してエレベーター呼びを生成し、送信することができる。別の実施形態によれば、エレベーター呼びは、すべての家族メンバーへ彼らのモバイルデバイス上に、また視距離内の据え置き型ディスプレイ上に表示されることが可能である。さらに、異なるグループメンバーへ与えられる通知は、その特定のユーザの役割に基づき変えることが可能である。たとえば、子供達は、明るくシンプルなビジュアルキューを与えられることが可能であり、両親は、タイミング、呼び出されたかごの現在の位置などのような、エレベーター呼びについての追加情報を提供するより複雑な通知を与えられることが可能である。
【００４４】
さらに、子供に最も近い据え置き型ディスプレイは、別の子供に優しい通知を表示することが可能であり、この子供に優しい通知は、子供へ有益であることが可能であるだけではなく、親によって、彼らの子供が子供に優しい通知を示している据え置き型ディスプレイに関係しているかどうかをより容易に判定するために使用されることも可能である。たとえば、家族が建築物内を歩き、そして１人の子供がトイレに向かう場合に、エレベーターバンク近くで待っている親がエレベーター呼びを行うときに、子供専用通知は、エレベーターバンクから離れたトイレ近くの据え置き型ディスプレイ上に表示することができる。これは、家族メンバーの位置について親にビジュアルキューを提供することが可能であり、グループメンバーの位置情報に基づきグループについてエレベーターをより正確に呼ぶ機能をエレベーターシステムに提供することも可能である。
【００４５】
通知を表示するために現在のシステム及び方法を使用する他の実施形態を提供することが可能である。たとえば、別の実施形態において、建築物の異なる階においてそれぞれ作業する技術者グループは、同じ階で会議に出席する必要がある可能性がある。グループリーダーは、エレベーターを呼び、彼らのモバイルデバイスを介して、及び／または近くの据え置き型ディスプレイ（壁に取り付けられた画面、または彼らのデスクトップコンピュータのモニタなど）を介して、彼らのグループの所属、及び建築物内の位置に基づき要求されたエレベーター呼びの状態を各チームメンバーに通知する要求を発信することが可能である。その結果、分散したグループは、単一の要求を使用して、つぎにグループメンバーへエレベーターを呼び、そして彼らを指定された会議の階へ連れて行くために、１つになる。
【００４６】
別の実施形態によれば、呼び通知を表示することは、任意の数のアイテムに基づき行われることができる。たとえば、呼び通知を表示することは、ユーザ階、ディスプレイ階、ディスプレイについての視距離マッピング、ディスプレイにおける信号強度閾値、近接情報、階数情報、日付、時刻、及び／またはスケジューリング情報に基づき行われることが可能である。たとえば、上記で考察されるように、呼び通知は、ユーザ階数に基づき表示されることが可能である。これは、複数のユーザがグループ内にいるときを含むことが可能である。特に、呼び通知は、各グループメンバーが現在いる階を対象とすることが可能である。さらに、呼び通知表示は、据え置き型ディスプレイの位置に基づき行われることが可能である。たとえば、呼び通知は、ユーザが割り当てられているエレベーター乗場近くの据え置き型ディスプレイ上に表示されることができる。さらに、視距離マッピングを使用して、呼び通知を表示するかどうかを判定することが可能である。たとえば、エレベーターシステムは、各ディスプレイの視距離内にあるマッピングされた階の領域内の領域についての情報に加えて、各階及び据え置き型ディスプレイのマッピングを含むことが可能である。つぎにモバイルデバイス位置が追跡されると、据え置き型ディスプレイは、視覚的な視線を提供するよう、モバイルデバイスがある領域に一致するように切り替えられることが可能である。別の実施形態によれば、各据え置き型ディスプレイは、モバイルデバイスにより送信される信号の信号強度を検出することが可能であるセンサを含むことができる。つぎに、検出された信号強度が閾値に達する、またはこれを超えるときに、据え置き型ディスプレイは、呼び通知を表示する。さらに、他の実施形態によれば、呼び通知の表示は、日付、時刻、スケジューリング情報、または収集されることが可能である他の情報に基づき決定されることが可能である。
【００４７】
さらに、別の実施形態によれば、エレベーターコントローラ２１０から送信される呼び通知は、呼びを最初に要求したユーザデバイス２０８へ送信されることができる。つぎにユーザデバイス２０８は、呼び通知をユーザについての他のディスプレイ及びデバイスへ送信する。あるいは、別の実施形態において、エレベーターコントローラ２１０は、コントローラ２１０が呼び通知を表示するために選択しているディスプレイへ直接に呼び通知を送信することが可能である。
【００４８】
たとえば、図３に示されるように、１つ以上の実施形態によれば、エレベーター割り当てを通知するためのシステムを実装する、ユーザ３０６を示す。示されるように、ユーザ３０６は、ディスプレイ３０８−１を含むモバイルデバイス３０８を備える。モバイルデバイス３０８は、携帯電話、ウェアラブルエレクトロニック、ラップトップ、ノートブック、ネットブック、及びタブレット、または任意の他の既知のポータブル電子機器などの、任意の数の既知のモバイルデバイスであることができる。ユーザ３０６は、建築物内にシステムをインストールするエレベーターロビー３００内のユーザ３０６を示す。たとえば、エレベーターロビー３００は、第一エレベーター入口３０３及び第二エレベーター入口３０５を含む。さらに、据え置き型ディスプレイ３１１は、エレベーターロビー３００内の壁部上に取り付けられる。その結果、１つの実施形態において、ユーザ３０６は、エレベーター呼び３３０をエレベーターコントローラ２１０へ送信したモバイルデバイス３０８の無線通信範囲内のセンサにより受信されるエレベーター呼び３３０を送信する。別の実施形態によれば、ユーザ３０６は、セルラネットワークの部分であるセルタワーなどの独立した通信システムによって、またはインターネットに接続する無線ルータを介して、受信するエレベーター呼び３３０を送信する。つぎに独立した通信システムは、エレベーター呼び３３０をエレベーターコントローラ２１０へルーティングする。エレベーターコントローラ２１０は、建築物１０２内の、エレベーター内の、センサと同一の位置に設置されることができる、またはクラウド型処理システムの部分として他の箇所に設置されることができる。
【００４９】
１つ以上の実施形態によれば、エレベーターコントローラ２１０は、エレベーター呼びを処理し、そしてエレベーター入口３０３または３０５のいずれか一方に到着するエレベーターを選択し、呼ぶ。つぎにエレベーターコントローラ２１０は、エレベーターがどこに到着するか、またはどの開口部に停止するかのようなユーザの要求に関する情報をみる、異なる選択肢をユーザに提供する１つより多いディスプレイへ生成された呼び通知３４０を送信する。たとえば、示されるように、通知３４０は、モバイルデバイス３０８により受信され、ディスプレイ３０８−１及び据え置き型ディスプレイ３１１上に表示される。その結果、ユーザ３０６は、ユーザ３０６のエレベーター呼び３３０に関する情報を提供する選択肢を含む。他の実施形態によれば、呼び通知３４０は、ユーザ３０６についての別のモバイルデバイス、別のユーザのモバイルデバイス、または建築物内の他の据え置き型ディスプレイ上に表示されることができる。
【００５０】
図４は、本開示の１つ以上の実施形態によれば、エレベーター割り当てを通知する方法４００の流れ図を描写する。方法４００は、モバイルデバイスから、エレベーター呼びをエレベーターコントローラにおいてユーザから受信する（操作４０５）こと、及びエレベーターコントローラを使用して、エレベーター呼びに基づきエレベーターかごを呼ぶ（操作４１０）ことを備える。また方法４００は、エレベーターコントローラを使用して、呼び通知を生成する（操作４１５）ことを備える。さらに、方法４００は、呼び通知を複数のディスプレイにおいて受信する（操作４２０）こと、及び表示パラメータに基づき呼び通知を複数のディスプレイ上に表示する（操作４２５）ことを備える。
【００５１】
別の実施形態によれば、方法は、呼び通知を生成するエレベーターコントローラに応答するモバイルデバイスへ呼び通知をエレベーターコントローラから送信すること、及び複数のディスプレイから選択されたディスプレイへ呼び通知をモバイルデバイスから送信することをさらに備えることができる。あるいは、別の実施形態によれば、方法は、呼び通知を生成するエレベーターコントローラに応答する複数のディスプレイから選択されたディスプレイへ呼び通知をエレベーターコントローラから送信することを備えることができる。たとえば、１つ以上の実施形態によれば、複数のディスプレイは、キオスクディスプレイ、エレベーターかご乗場ドアに隣接して設置されるディスプレイ、ユーザと同一階についてのディスプレイ、ユーザの視距離内のディスプレイ、ユーザの無線通信範囲内のディスプレイ、エレベーターかご内のディスプレイ、ならびに無線通信及び測位を使用して検出可能である所定の範囲内のディスプレイのうちの１つ以上を含むことができる。さらに、別の実施形態によれば、複数のディスプレイのうちのいずれか１つのタイプを複数のディスプレイ内に含むことが可能である。
【００５２】
本開示は、限られた数の実施形態のみに関して詳細に記述されており、本開示がこれらのような開示された実施形態に限定されないことを容易に理解するであろう。むしろ、本開示は、これまで説明はしていないが、本開示の範囲と相応する、任意の数の変形形態、代替物、置換、組み合わせ、サブコンビネーション、または均等配置を援用するように変更されることが可能である。加えて、本開示のさまざまな実施形態を説明しているが、本開示の態様が記述された実施形態のいくつかのみを含むことができることを理解するであろう。
【００５３】
本明細書で使用される専門用語は、特定の実施形態のみを記述する目的のためであり、限定することを意図しない。本明細書に使用されるように、単数形「ａ」、「ａｎ」及び「ｔｈｅ」は、文脈が明示的に別段に示さない限り、複数形をも含むことを意図する。用語「ｃｏｍｐｒｉｓｅｓ（を含む）」及び／または「ｃｏｍｐｒｉｓｉｎｇ（を含むこと）」が本明細書で使用されるときに、記載された特徴、整数、ステップ、操作、要素、及び／または構成要素の存在を特定するが、１つ以上の他の特徴、整数、ステップ、操作、要素、構成要素、及び／またはそれらの群の存在または追加を妨げないことがさらに理解されるであろう。
【００５４】
以下の特許請求の範囲内のすべての手段またはステップと機能要素の、対応する構造、材料、作用、及び均等物は、特に請求されるような他の請求された要素と組み合わせて機能を実行するためのいかなる構造、材料、または作用をも含むことを意図する。この説明は、例示及び説明の目的のために提示されているが、網羅的であること、または開示される形態内の実施形態に限定することを意図しない。多くの変更形態及び変形形態は、本開示の範囲から逸脱することなく当業者に明らかであろう。本開示の原理、及び実際の適用を最も良く説明するために、また企図される特定の使用に適切であるような、さまざまな変更形態を含むさまざまな実施形態を他の当業者が理解することを可能にするために、これらの実施形態を選択し、記述した。
【００５５】
本実施形態は、いずれかの可能で技術的に詳細なレベルの統合における、システム、方法、及び／またはコンピュータプログラム製品であることができる。コンピュータプログラム製品は、プロセッサに本開示の態様を実行させるためにその上にコンピュータ可読プログラムインストラクションを含む、１つのコンピュータ可読記憶媒体（または複数のコンピュータ可読記憶媒体）を含むことができる。
【００５６】
コンピュータ可読プログラムインストラクションは、ユーザのモバイルデバイス上で全体的に、ユーザのモバイルデバイス上で部分的に、スタンドアロンソフトウェアパッケージとして、ユーザのモバイルデバイス上に部分的に、またリモートコンピュータ上で部分的に、またはリモートコンピュータもしくはサーバ上で全体的に、実行することができる。後者のシナリオでは、リモートコンピュータは、ローカルエリアネットワーク（ＬＡＮ）またはワイドエリアネットワーク（ＷＡＮ）を含む、いずれかのタイプのネットワークを介してユーザのモバイルデバイスへ接続されることができる、またはこの接続は、外部コンピュータ（たとえば、インターネットサービスプロバイダを使用するインターネットを介して）に行われることができる。いくつかの実施形態において、たとえば、プログラマブルロジック回路、フィールドプログラマブルゲートアレイ（ＦＰＧＡ）、またはプログラマブルロジックアレイ（ＰＬＡ）を含む、電子回路は、本開示の態様を実行するために、電子回路をパーソナライズする、コンピュータ可読プログラムインストラクションの状態情報を利用することによりコンピュータ可読プログラムインストラクションを実行することができる。
【００５７】
図面内のフローチャート及びブロック図は、さまざまな実施形態によれば、システム、方法、及びコンピュータプログラム製品の可能な実装のアーキテクチャ、機能性、及び操作を示す。この点について、フローチャートまたはブロック図内の各ブロックは、指定された論理関数（複数可）を実装するための１つ以上の実行可能なインストラクションを含む、インストラクションのモジュール、セグメント、または部分を表現することができる。いくつかの代替の実施態様において、ブロック内に言及される機能は、図面内で言及される順序から外れることがある。たとえば、連続して示される２つのブロックは、実際には、実質的に同時に実行されてもよく、またはブロックは、伴われる機能性により、逆の順序でときとして実行されてもよい。また、ブロック図及び／またはフローチャートの例示の各ブロック、及びブロック図及び／またはフローチャートの例示内のブロックの組み合わせが指定された機能もしくは作用を実行する、または専用ハードウェア及びコンピュータインストラクションの組み合わせを実行する、専用ハードウェアベースのシステムによって実装されることが可能であることに留意されたい。
【００５８】
さまざまな実施形態の説明は、例示の目的のために提示されているが、網羅的であること、または開示される実施形態に限定することを意図しない。開示された実施形態の範囲及び趣旨から逸脱することなく、多くの変更形態及び変形形態が当業者に明らかであろう。本明細書に使用される専門用語は、実施形態の原理、実際の適用もしくは市場でみられる科学技術を越える技術的な改良を最も良く説明するために、または当業者が本明細書に開示される実施形態を理解することを可能にするために選択された。
【００５９】
したがって、本開示は、前述の説明により限定されるとみなされるべきではないが、添付の特許請求の範囲によってのみ限定される。
【図１】
2019516638.tif 000003
【図２】
2019516638.tif 000004
【図３】
2019516638.tif 000005
【図４】
2019516638.tif 000006
【国際調査報告】
2019516638.tif 000007
2019516638.tif 000008